(57)【要約】【課題】配線盤との接続関係を変更する作業の対象となる配線の特定を支援可能な配線管理支援システムを提供する。【解決手段】配線管理支援システム１は、端子２１１，２１３と端子２１２，２１４との間の接続と非接続とを切替可能な切替部３１，３６と、切替部３１，３６によって端子２１１，２１３と端子２１２，２１４との間が接続された場合に端子２１１，２１３と端子２１２，２１４との間に介在する線間抵抗３２，３７と、線間抵抗３２，３７の介在の有無に応じて動作状態が切り替わるリレースイッチ３４，３９と、リレースイッチ３４，３９の動作を検知する監視装置として機能するＳＶＥ５０を備える。【選択図】図４
2020161894.tif 000002
【特許請求の範囲】
【請求項１】
通信端末の通信回線が着脱可能に接続される複数の接続端子を備える配線盤と、前記配線盤と接続されて前記接続端子に前記通信回線が接続された前記通信端末が関わる通信の通信経路に介在する伝送装置とを備える通信システムの前記接続端子に対する前記通信回線の着脱を支援する配線管理支援システムであって、
前記接続端子は、プラス端子とマイナス端子を含み、
前記配線盤は、
前記プラス端子と前記マイナス端子との間の接続と非接続とを切替可能な切替部と、
前記切替部によって前記プラス端子と前記マイナス端子との間が接続された場合に前記プラス端子と前記マイナス端子との間に介在する線間抵抗とを備え、
配線管理支援システムは、
前記プラス端子と前記マイナス端子との間の前記線間抵抗の有無に応じて動作状態が切り替わるスイッチと、
前記スイッチの動作を検知する監視装置を備える
配線管理支援システム。
【請求項２】
前記配線盤は、前記接続端子を含む通信経路を介して前記通信端末が行う通信に応じて点灯する発光部を備える
請求項１に記載の配線管理支援システム。
【請求項３】
前記通信回線は、送信用回線と受信用回線とを含み、
前記送信用回線と前記受信用回線はそれぞれ異なる前記接続端子と接続される
請求項１又は２に記載の配線管理支援システム。
【発明の詳細な説明】
【技術分野】
【０００１】
本発明は、配線管理支援システムに関する。
【背景技術】
【０００２】
複数の端末間の通信回線を接続するために配線盤を用いる方法が知られている（例えば、特許文献１）。
【先行技術文献】
【特許文献】
【０００３】
【特許文献１】特開２０１８−７４１９７号公報
【発明の概要】
【発明が解決しようとする課題】
【０００４】
配線盤には、複数の端末からの配線が接続されている。このため、一部の配線と配線盤との接続関係を変更する作業を行う場合に、誤って接続関係を変更されるべきでない端末の配線と配線盤との接続関係を変更してしまう人為的なミスが生じることがあった。このような人為的なミスを抑制するため、配線盤との接続関係を変更する作業の対象となる配線の特定を支援する技術が求められていた。
【０００５】
本発明では、配線盤との接続関係を変更する作業の対象となる配線の特定を支援可能な配線管理支援システムを提供することを目的とする。
【課題を解決するための手段】
【０００６】
上述した課題を解決し、目的を達成するために、本発明の配線管理支援システムは、通信端末の通信回線が着脱可能に接続される複数の接続端子を備える配線盤と、前記配線盤と接続されて前記接続端子に前記通信回線が接続された前記通信端末が関わる通信の通信経路に介在する伝送装置とを備える通信システムの前記接続端子に対する前記通信回線の着脱を支援する配線管理支援システムであって、前記接続端子は、プラス端子とマイナス端子を含み、前記配線盤は、前記プラス端子と前記マイナス端子との間の接続と非接続とを切替可能な切替部と、前記切替部によって前記プラス端子と前記マイナス端子との間が接続された場合に前記プラス端子と前記マイナス端子との間に介在する線間抵抗とを備え、配線管理支援システムは、前記プラス端子と前記マイナス端子との間の前記線間抵抗の有無に応じて動作状態が切り替わるスイッチと、前記スイッチの動作を検知する監視装置を備える。
【０００７】
本発明の望ましい態様として、前記配線盤は、前記接続端子を含む通信経路を介して前記通信端末が行う通信に応じて点灯する発光部を備える。
【０００８】
本発明の望ましい態様として、前記通信回線は、送信用回線と受信用回線とを含み、前記送信用回線と前記受信用回線はそれぞれ異なる前記接続端子と接続される。
【発明の効果】
【０００９】
本発明によれば、配線盤との接続関係を変更する作業の対象となる配線の特定を支援できる。
【図面の簡単な説明】
【００１０】
【図１】図１は、配線管理支援システムが設けられる通信システムの主要構成例を示す模式図である。
【図２】図２は、配線盤の具体的構成例を示す斜視図である。
【図３】図３は、中間接続装置内の配線例を示す模式図である。
【図４】図４は、通信可能に接続された２つの端末を含む構成における配線管理支援システムの主要構成例を示す模式的なブロック図である。
【図５】図５は、切替部及び発光部を備えたフロントパネルの形態例を示す図である。
【発明を実施するための形態】
【００１１】
次に、本発明の実施形態を、図面を参照して詳細に説明する。図１は、配線管理支援システム１が設けられる通信システムＳの主要構成例を示す模式図である。通信システムＳは、中間接続装置１０と、伝送装置１００とを備える。
【００１２】
複数の伝送装置１００は、互いに通信可能に接続される。また、複数の伝送装置１００の一部又は全部は、それぞれが通信用の配線Ｊを介して中間接続装置１０と接続されて、中間接続装置１０に接続された端末Ｔ同士の通信を成立させるように通信経路上に介在する。すなわち、伝送装置１００は、所謂通信基地局として機能する。
【００１３】
中間接続装置１０は、複数の端末Ｔから延出する通信用の配線Ｈと、伝送装置１００から延出する配線Ｊとを接続可能に設けられる。ここで、配線Ｈは、通信端末として機能する端末Ｔの通信回線として機能する。中間接続装置１０は、配線Ｈ、配線Ｊが接続可能な複数の配線盤２０を備える。
【００１４】
図２は、配線盤２０の具体的構成例を示す斜視図である。配線盤２０は、複数の端子２１、複数の端子２１が設けられる基板２２等を備える。以下、基板２２に沿う平面をＸ−Ｙ平面とし、Ｘ−Ｙ平面に沿い互いに直交する２方向をＸ方向、Ｙ方向とする。
【００１５】
複数の端子２１は、個別に配線を接続可能に設けられる。図２に示す例では、Ｘ方向にｍ［個］、Ｙ方向にｎ［個］の端子２１が基板２２にマトリクス状に配置されている。また、基板２２に隣立する端子２１同士の間を隔てるように複数の隔壁２３が設けられている。隔壁２３は、例えばＸ−Ｙ平面視点において、直交する２辺が端子２１同士の間を隔てる構造を有する。隔壁２３は、例えば絶縁性の合成樹脂を素材とするがこれに限られるものでなく、基板２２同士の短絡を抑制可能な構成であればよい。
【００１６】
図３は、中間接続装置１０内の配線例を示す模式図である。図３では、隔壁２３の図示を省略している。配線盤２０は、例えば、第１配線盤２０Ａと、第２配線盤２０Ｂとを含む。第１配線盤２０Ａの端子２１には、複数の端末Ｔから延出する通信用の配線Ｈが接続される。第２配線盤２０Ｂの端子２１には、伝送装置１００から延出する通信用の配線Ｊが接続される。また、中間接続装置１０には、第１配線盤２０Ａの端子２１と第２配線盤２０Ｂの端子２１とを接続する配線Ｋが設けられる。
【００１７】
実施形態では、基板２２の両面から端子２１が延出し、基板２２の両面に隔壁２３が設けられる。また、基板２２を一面側から見た場合のＸ−Ｙ平面上の位置が同じである端子２１は、基板２２を挟んで電気的に連続する。言い換えれば、端子２１は、基板２２を貫通するように設けられて、基板２２の両面側から延出する。なお、基板２２を一面側から見た場合のＸ−Ｙ平面上の位置が異なる端子２１は、意図的に接続されない限り、それぞれ電気的に独立する。
【００１８】
実施形態では、配線Ｈは、第１配線盤２０Ａの他面側で接続される。配線Ｊは、第２配線盤２０Ｂの他面側で接続される。配線Ｋは、第１配線盤２０Ａ及び第２配線盤２０Ｂの一面側で接続される。すなわち、実施形態では、端末Ｔから延出する配線Ｈは、第１配線盤２０Ａの他面側に延出する端子２１に接続され、当該端子２１を介して当該端子２１の一面側に接続された配線Ｋと接続される。また、伝送装置１００から延出する配線Ｊは、第２配線盤２０Ｂの他面側に延出する端子２１に接続され、当該端子２１を介して当該端子２１の一面側に接続された配線Ｋと接続される。そして、配線Ｋが第１配線盤２０Ａの端子２１と第２配線盤２０Ｂの端子２１とを一面側で接続することで、端末Ｔと伝送装置１００とが接続される。
【００１９】
実施形態では、端末Ｔと伝送装置１００との接続関係を変更する場合、配線Ｋによる第１配線盤２０Ａの端子２１と第２配線盤２０Ｂの端子２１との接続関係を変更するが、これは接続関係の変更の具体例の一例であってこれに限られるものでない。例えば、配線Ｈが接続される端子２１を変更することで、端末Ｔと第１配線盤２０Ａとの接続関係を変更してもよい。
【００２０】
実施形態では、図３及び図４に示すように、１つの端末Ｔからの配線Ｈとして、４本の配線Ｈ１，Ｈ２，Ｈ３，Ｈ４が設けられる。配線Ｊ及び配線Ｋについても、配線Ｈに含まれる４本の配線Ｈ１，Ｈ２，Ｈ３，Ｈ４と同様、それぞれ４本の配線Ｊ１，Ｊ２，Ｊ３，Ｊ４及び配線Ｋ１，Ｋ２，Ｋ３，Ｋ４が設けられる。配線Ｈ１，Ｊ１，Ｋ１は、端末Ｔからの送信用のプラス（＋）配線である。配線Ｈ２，Ｊ２，Ｋ２は、端末Ｔからの送信用のマイナス（−）配線である。配線Ｈ３，Ｊ３，Ｋ３は、端末Ｔによる受信用のプラス（＋）配線である。配線Ｈ４，Ｊ４，Ｋ４は、端末Ｔによる受信用のマイナス（−）配線である。
【００２１】
配線Ｈ１，Ｈ２，Ｈ３，Ｈ４は、第１配線盤２０Ａにおいて、それぞれ異なる端子２１に接続される。以下の説明では、１つの端末Ｔからの配線Ｈ１，Ｈ２，Ｈ３，Ｈ４が、Ｘ方向に並ぶｍ［個］（ｍは、４以上の自然数）の端子２１である端子２１１，２１２，２１３，２１４に接続されるものとする。端子２１１，２１２，２１３，２１４は、Ｙ方向について同じ位置（行）に配置される。配線Ｈ１は、端子２１１を介して配線Ｋ１の一端側と接続される。配線Ｈ２は、端子２１２を介して配線Ｋ２の一端側と接続される。配線Ｈ３は、端子２１３を介して配線Ｋ３の一端側と接続される。配線Ｈ４は、端子２１４を介して配線Ｋ４の一端側と接続される。
【００２２】
第２配線盤２０Ｂにおける配線Ｊ１，Ｊ２，Ｊ３，Ｊ４と配線Ｋ１，Ｋ２，Ｋ３，Ｋ４との接続についても、第１配線盤２０Ａにおける配線Ｈ１，Ｈ２，Ｈ３，Ｈ４と配線Ｋ１，Ｋ２，Ｋ３，Ｋ４との接続と同様である。すなわち、配線Ｊ１は、端子２１５を介して配線Ｋ１の他端側と接続される。配線Ｊ２は、端子２１６を介して配線Ｋ２の他端側と接続される。配線Ｊ３は、端子２１７を介して配線Ｋ３の他端側と接続される。配線Ｊ４は、端子２１８を介して配線Ｋ４の他端側と接続される。
【００２３】
図４は、通信可能に接続された２つの端末Ｔ１，Ｔ２を含む構成における配線管理支援システム１の主要構成例を示す模式的なブロック図である。配線管理支援システム１は、切替部３１，３６と、線間抵抗３２，３７と、レベル検知部３３，３８と、リレースイッチ３４，３９と、ＳＶＥ（SuperVisory  Equipment）５０と、ＮＭＳ（Network  Management  System）６０と、発光部７１，７２とを備える。
【００２４】
切替部３１，３６は、プラス（＋）端子とマイナス（−）端子との間の接続と非接続とを切替可能に設けられる。具体的には、切替部３１は、端子２１１と端子２１２との間の接続と非接続とを切替可能に設けられる。すなわち、切替部３１は、端末Ｔの送信側の配線のプラス（＋）とマイナス（−）との間の接続と非接続とを切替可能に設けられる。切替部３６は、端子２１３と端子２１４との間の接続と非接続とを切替可能に設けられる。すなわち、切替部３１は、端末Ｔの受信側の配線のプラス（＋）とマイナス（−）との間の接続と非接続とを切替可能に設けられる。
【００２５】
線間抵抗３２は、切替部３１によって端子２１１と端子２１２の間が接続された場合に端子２１１と端子２１２との間に介在するよう設けられる。線間抵抗３７は、切替部３６によって端子２１３と端子２１４との間が接続された場合に端子２１３と端子２１４との間に介在するよう設けられる。線間抵抗３２，３７は、例えば６００［Ω］の電気抵抗であるが、この電気抵抗値はあくまで一例であってこれに限られるものでなく、適宜変更可能である。線間抵抗３２，３７は、切替部３１，３６によるプラス（＋）端子とマイナス（−）端子との間の接続と非接続との切替に応じてレベル検知部３３，３８による検出結果が変化するよう設けられる。
【００２６】
レベル検知部３３，３８は、接続された端子を介して伝送される信号の強度（信号レベル）と、予め設定された信号レベルとの比較結果に応じてリレースイッチ３４，３９の動作を制御する。レベル検知部３３は、端子２１１と端子２１２との間に線間抵抗３２が介在する場合にリレースイッチ３４を動作状態（ＯＮ）にし、端子２１１と端子２１２との間に線間抵抗３２が介在しない場合にリレースイッチ３４を非動作状態（ＯＦＦ）にする。従って、リレースイッチ３４は、端子２１１と端子２１２との間の線間抵抗３２の有無に応じて状態が切り替わるスイッチとして機能する。レベル検知部３８は、端子２１３と端子２１４との間に線間抵抗３７が介在する場合にリレースイッチ３９を動作状態（ＯＮ）にし、端子２１３と端子２１４との間に線間抵抗３７が介在しない場合にリレースイッチ３９を非動作状態（ＯＦＦ）にする。従って、リレースイッチ３４は、端子２１３と端子２１４との間の線間抵抗３７の有無に応じて状態が切り替わるスイッチとして機能する。
【００２７】
実施形態のリレースイッチ３４，３９は、動作状態（ＯＮ）であるか非動作状態（ＯＦＦ）であるかを示す出力として、リレースイッチ３４，３９とＳＶＥとの間に設けられた通信回線を介して伝送可能な信号を出力する。より具体的には、実施形態のリレースイッチ３４，３９は、例えば、ＩＰ（Internet  Protocol）に則った通信用の信号を出力する。
【００２８】
ＳＶＥは、リレースイッチ３４，３９の動作を検知する監視装置として機能する。具体的には、ＳＶＥは、例えばリレースイッチ３４，３９との間で行われるＩＰ（Internet  Protocol）に則った通信に基づいてリレースイッチ３４，３９の状態を統合管理するＩＰ−ＳＶＥである。なお、リレースイッチ３４，３９の状態の管理のために採用されるプロトコルはこれに限られるものでなく、適宜変更可能である。ＳＶＥは、例えば、リレースイッチ３４，３９の動作状態を視認可能な表示出力内容を含む情報を、配信網Ｌを介してＮＭＳ６０に配信する。当該配信の方法は、例えばＳＶＥを利用可能な権限を有する者を識別するための認証システムで認証されたユーザのアカウントが入力されたＮＭＳ６０に対してハイパーテキスト形式又は専用のシステムによる情報伝送形式で行われるが、これは配信の方法の具体例であってこれに限られるものでなく、適宜変更可能である。配信は、音声その他の報知方法に対応するものであってもよい。また、この場合、認証システムとして機能するためのソフトウェア・プログラム及び当該ソフトウェア・プログラムを動作させる演算部、記憶部等がＳＶＥに設けられる。
【００２９】
ＮＭＳ６０は、ＳＶＥによるリレースイッチ３４，３９の動作の監視状況を確認可能に設けられた端末を含む。当該端末は、例えばパーソナルコンピュータ、スマートフォンその他の情報処理装置であるが、ＳＶＥに対応するよう設けられた専用の装置であってもよい。当該端末は、例えば、ＳＶＥからの配信内容を視認可能な表示部等、ＳＶＥからの配信方法に対応した出力インタフェースを備える。ＮＭＳ６０を介したＳＶＥからの配信内容の確認によって、配線管理支援システム１の管理者は、切替部３１，３６によってプラス（＋）端子とマイナス（−）端子との間の接続と非接続との切替が行われた配線を特定できる。また、切替部３１，３６によってプラス（＋）端子とマイナス（−）端子との間の接続と非接続との切替を行ったにも拘らず、ＮＭＳ６０を介したＳＶＥからの配信内容の確認結果に変化が生じなかった場合、切替の対象になった配線が通信に用いられていないことを確認できる。
【００３０】
このような切替部３１，３６の操作とＮＭＳ６０を介したＳＶＥによる監視内容の確認との対応関係によって、端子２１と配線Ｈとの接続関係の切替を行う作業者は、作業前に、作業の対象となる端末Ｔが接続されている端子２１に設けられた切替部３１，３６を操作し、ＮＭＳ６０を介してＳＶＥによる監視内容の確認をすることで、作業の対象としようとしている端末Ｔ、端子２１及び配線Ｈが意図した通りの端末Ｔ、端子２１及び配線Ｈであるかどうかを確認できる。また、通信に使用されていない端末Ｔの配線Ｈ及び当該配線Ｈが接続されている端子２１が作業の対象である場合、切替部３１，３６を操作しても、通信が行われていないためにＳＶＥによる監視内容に変化が生じない。従って、切替部３１，３６の操作によって、当該端末Ｔが取り外しても差し支えない端末Ｔであることを確認できる。
【００３１】
発光部７１，７２は、端末Ｔが行う通信に応じて点灯する。具体的には、発光部７１，７２は、例えば発光ダイオード（ＬＥＤ：Light  Emitting  Diode）である。発光部７１は、例えば端子２１１が形成する通信経路に並列で接続され、通信による端末Ｔからの送信に応じて点灯するよう設けられる。発光部７２は、例えば端子２１３が形成する通信経路に並列で接続され、通信による端末Ｔの受信に応じて点灯するよう設けられる。
【００３２】
図５は、切替部３１，３６及び発光部７１，７２を備えたフロントパネルＦＰの形態例を示す図である。配線盤２０には、例えば図５に示すようなフロントパネルＦＰが設けられる。フロントパネルＦＰは、例えば、複数の端子２１の先端側に位置するよう設けられる。切替部３１，３６は、例えばフロントパネルＦＰ上でＸ方向に直動させることでプラス（＋）端子とマイナス（−）端子との間の接続と非接続とを切替可能に設けられる。
【００３３】
図５に示す例では、切替部３１及び切替部３６並びに発光部７１及び発光部７２の配置は、当該切替部３１及び切替部３６による切替の対象になる端子２１１，２１２及び端子２１３，２１４のＸ方向の配置に対応するよう設けられる。すなわち、Ｘ−Ｙ平面視点で、切替部３１及び切替部３６による切替の対象になる端子２１１，２１２及び端子２１３，２１４に対応する位置に当該切替部３１及び切替部３６が設けられ、当該端子２１１及び当該端子２１３に設けられている発光部７１及び発光部７２が、Ｙ方向について当該切替部３１及び切替部３６と同じ位置に配置される。図５では、発光部７１，７２が切替部３１，３６に対してフロントパネルＦＰのＸ方向の一端側（右側）に配置されているが、他端側でもよい。また、図５では、当該他端側に、Ｙ方向に並ぶ端子２１の数に応じたナンバリング（１〜ｎ）が施されているが、これは省略可能である。
【００３４】
なお、図５では図示を省略しているが、Ｘ方向に並ぶｍ［個］の端子に対して、２つの端子につき１つの切替部３１又は切替部３６が設けられるようにしてもよい。この場合、切替部３１と切替部３６はＸ方向に交互に配置される。すなわち、Ｘ方向に並ぶｍ［個］の端子を含む１つの行において、複数の端末Ｔを接続可能にしてもよい。
【００３５】
なお、図４に示す例では、リレースイッチ３４，３９が中間接続装置１０の外側に設けられているが、リレースイッチ３４，３９も、切替部３１，３６、線間抵抗３２，３７、レベル検知部３３，３８、発光部７１，７２と同様、中間接続装置１０内に設けられてもよい。
【００３６】
また、図４に示す例では、端末Ｔ１が接続される中間接続装置１０に符号１０Ａを付し、端末Ｔ２が接続される中間接続装置１０に符号１０Ｂを付して区別しているが、端末Ｔ１と端末Ｔ２が接続される中間接続装置１０は同一の中間接続装置１０であってもよい。その場合、端末Ｔ１と端末Ｔ２との間の接続経路は、端末Ｔ１−中間接続装置１０−伝送装置１００−当該中間接続装置１０−端末Ｔ２となる。
【００３７】
以上、実施形態によれば、配線管理支援システム１は、通信端末（例えば、端末Ｔ）の通信回線（例えば、配線Ｈ）が着脱可能に接続される複数の接続端子として機能する端子２１を備える配線盤２０と、配線盤２０と接続されて接続端子に通信回線が接続された通信端末が関わる通信の通信経路に介在する伝送装置１００とを備える通信システムＳの接続端子に対する通信回線の着脱を支援する。配線盤２０は、プラス端子（例えば、端子２１１，２１３等）とマイナス端子（例えば、端子２１２，２１４等）との間の接続と非接続とを切替可能な切替部３１，３６と、切替部３１，３６によってプラス端子とマイナス端子との間が接続された場合にプラス端子とマイナス端子との間に介在する線間抵抗３２，３７とを備える。配線管理支援システム１は、プラス端子とマイナス端子との間の線間抵抗３２，３７の有無に応じて動作状態が切り替わるスイッチとして機能するリレースイッチ３４，３９と、当該スイッチの動作を検知する監視装置として機能するＳＶＥを備える。これによって、切替部３１，３６の操作に応じてスイッチが動作した端子２１が接続されている通信回線を特定できる。従って、切替部３１，３６の操作内容とＳＶＥによる監視内容とを照らし合わせることで、切替部３１，３６に対応する端子２１の利用状況を確認できる。すなわち、配線Ｈと端子２１との接続関係の変更の作業の対象としようとしている配線Ｈと端子２１が意図した通りの配線Ｈと端子２１であるかどうかを確認できる。また、通信に使用されていない端末Ｔの配線Ｈ及び当該配線Ｈが接続されている端子２１が作業の対象である場合、切替部３１，３６を操作してもＳＶＥによる監視内容に変化が生じないことによって、当該端末Ｔの配線Ｈ及び当該配線Ｈが接続されている端子２１が通信に使用されていないことを確認できる。このように、配線管理支援システム１によれば、配線盤２０との接続関係を変更する作業の対象となる配線Ｈの特定を支援できる。
【００３８】
また、端末Ｔが行う通信に応じて点灯する発光部７１，７２を備える。従って、発光部７１，７２の点灯の有無によって当該発光部７１，７２が設けられた端子２１が通信に利用されているかをより容易に確認できる。また、切替部３１，３６の操作に応じて発光部７１，７２の点灯の度合いが変化することで、切替部３１，３６の操作が適正に作用していることを確認できる。
【００３９】
また、配線Ｈは、送信用回線として機能する配線Ｈ１，Ｈ２と、受信用回線として機能する配線Ｈ３，Ｈ４を含み、送信用回線と受信用回線はそれぞれ異なる接続端子と接続される。従って、送信用回線と受信用回線で個別に、配線盤２０との接続関係を変更する作業の対象となる配線Ｈの特定を支援できる。
【００４０】
なお、上記の実施形態はあくまで一例であり、本発明の技術的特徴を逸脱しない範囲内において適宜変更可能である。例えば、第２配線盤２０Ｂは省略可能である。その場合、配線Ｋを省略し、第１配線盤２０Ａに配線Ｊを接続すればよい。また、ＳＶＥ５０は、ＮＭＳ６０を介さずに監視内容を直接報知可能に設けられてもよい。例えば、監視内容を表示可能な表示部等がＳＶＥ５０に設けられてもよい。また、発光部７１，７２は省略可能である。また、端末Ｔと伝送装置１００とは、送信と受信を１つの回線で行うことが可能な双方向通信可能な配線で接続可能な構成であってもよい。
【符号の説明】
【００４１】
１    配線管理支援システム
１０  中間接続装置
２０  配電盤
２１，２１１，２１２，２１３，２１４，２１５，２１６，２１７，２１８  端子
２２  基板
２３  隔壁
３１，３６  切替部
３２，３７  線間抵抗
３３，３８  レベル検知部
３４，３９  リレースイッチ
５０  ＳＶＥ
６０  ＮＭＳ
１００  伝送装置
Ｓ  通信システム
Ｔ，Ｔ１，Ｔ２  端末
【図１】
2020161894.tif 000003
【図２】
2020161894.tif 000004
【図３】
2020161894.tif 000005
【図４】
2020161894.tif 000006
【図５】
2020161894.tif 000007